(57)【要約】【課題】データの入出力機能と情報処理装置との通信機能を切替可能に保持し、且つ情報処理装置との通信経路を２つ確保することができる電源制御装置及びプログラムを提供する。【解決手段】電源制御装置は、モデム（２）及びルータ（３）を介して情報処理装置（６，７）にそれぞれ接続する２つの通信ポート（１４，１５）と、通信ポート（１４）がモデム及び入出力装置（３０）のいずれかと接続するように、当該通信ポート（１４）の設定を切り替える切替部（１６）と、切替部が、通信ポート（１４）がモデムと接続するように通信ポート（１４）の設定を切り替え、且つモデム及びルータがそれぞれ通信ポート（１４，１５）に接続されている場合に、通信ポート（１４、１５）のＩＰアドレスが記載された電子メールをそれぞれモデム及びルータを介して情報処理装置（６，７）に送信する制御部（１１）とを備えている。【選択図】図３
2011159181.tif 000002
【特許請求の範囲】
【請求項１】
２つの通信装置を介して情報処理装置にそれぞれ接続する２つの通信ポートと、
前記２つの通信ポートのうち少なくとも１つが、前記２つの通信装置の１つ及びデータの入出力装置のいずれかと接続するように、当該通信ポートの設定を切り替える切替手段と、
前記切替手段が、前記少なくとも１つの通信ポートが前記通信装置の１つと接続するように当該通信ポートの設定を切り替え、且つ前記２つの通信装置がそれぞれ前記２つの通信ポートに接続されている場合に、各通信ポートのアドレスが記載された電子メールを各通信ポートに接続されている通信装置を介して前記情報処理装置に送信する送信手段と
を備えていることを特徴とする電源制御装置。
【請求項２】
前記情報処理装置から、前記送信した電子メールに対する返信メールを受信したか否かに基づいて、前記２つの通信装置を介して前記情報処理装置に接続される２つの通信経路の異常の有無を判断する判断手段と、
前記判断手段が少なくとも一方の通信経路に異常があると判断した場合に、当該異常のある通信経路上に設けられた通信装置を再起動する再起動手段と
を備えていることを特徴とする請求項１に記載の電源制御装置。
【請求項３】
前記判断手段がいずれか一方の通信経路に異常があると判断した場合に、正常な通信経路を介して前記情報処理装置に異常のある通信経路を通知する通知手段をさらに備え、
前記再起動手段は、前記通知手段による通知の応答としての前記情報処理装置からの指示に応じて、前記異常のある通信経路上に設けられた通信装置を再起動することを特徴とする請求項２に記載の電源制御装置。
【請求項４】
前記送信手段は、前記２つの通信ポートの少なくとも一方のアドレスが決定される又は変更されるたびに、当該決定された又は変更された通信ポートのアドレスが記載された電子メールを当該通信ポートに接続されている通信装置を介して前記情報処理装置に送信することを特徴とする請求項１乃至３のいずれか１項に記載の電源制御装置。
【請求項５】
前記送信手段は、各通信ポートのアドレスが記載された電子メールを各通信ポートに接続されている通信装置を介して前記情報処理装置に定期的に送信することを特徴とする請求項１乃至３のいずれか１項に記載の電源制御装置。
【請求項６】
前記切替手段は、ユーザからの指示によって又は前記通信ポートに接続された通信装置の情報を受信することによって、前記通信ポートの設定を切り替えることを特徴とする請求項１乃至５のいずれか１項に記載の電源制御装置。
【請求項７】
電源制御装置と拡張装置とを含む電源制御システムであって、
前記拡張装置は、
第１通信装置及びデータの入出力装置のいずれかと接続可能な第１通信ポートと、
前記制御装置と接続可能な第２通信ポートと、
前記第１通信ポートが、前記第１通信装置及び前記データの入出力装置のいずれかと接続するように、当該第１通信ポートの設定を切り替える切替手段と、
前記切替手段が、前記第１通信ポートが前記第１通信装置と接続するように前記第１通信ポートの設定を切り替え、且つ当該第１通信ポートが前記第１通信装置に接続される場合に、当該第１通信ポートのアドレスが記載された電子メールを前記第１通信装置を介して情報処理装置に送信する第１送信手段とを備え、
前記電源制御装置は、
前記拡張装置と接続可能な第３通信ポートと、
第２通信装置と接続可能な第４通信ポートと、
前記第４通信ポートが前記第２通信装置に接続される場合に、当該第４通信ポートのアドレスが記載された電子メールを前記第２通信装置を介して前記情報処理装置に送信する第２送信手段と
を備えることを特徴とする電源制御システム。
【請求項８】
前記拡張装置は、
前記情報処理装置から、前記送信した電子メールに対する返信メールを所定時間内に受信したか否かに基づいて、前記第１通信装置を介して前記情報処理装置に接続される第１通信経路の異常の有無を判断する第１判断手段を備え、
前記電源制御装置は、
前記情報処理装置から、前記送信した電子メールに対する返信メールを所定時間内に受信したか否かに基づいて、前記第２通信装置を介して前記情報処理装置に接続される第２通信経路の異常の有無を判断する第２判断手段と、
前記第１判断手段から前記第１通信経路の異常が通知されたときに、前記第１通信装置を再起動し、前記第２通信経路が異常であると判断されたときに、前記第２通信装置を再起動する再起動手段と
を備えていることを特徴とする請求項７に記載の電源制御システム。
【請求項９】
前記拡張装置は、
前記第１判断手段が前記第１通信経路に異常があると判断した場合に、前記第２通信経路を介して前記情報処理装置に第１通信経路の異常を通知する第１通知手段を備え、
前記電源制御装置は、
前記第２判断手段が前記第２通信経路に異常があると判断した場合に、前記第１通信経路を介して前記情報処理装置に第２通信経路の異常を通知する第２通知手段を備え、
前記再起動手段は、前記第１通知手段による通知の応答として、前記情報処理装置から前記第２通信装置を介して前記第１通信装置の再起動が指示された場合には、前記第１通信装置を再起動し、前記第２通知手段による通知の応答として、前記情報処理装置から前記拡張装置を介して前記第２通信装置の再起動が指示された場合には、前記第２通信装置を再起動することを特徴とする請求項８に記載の電源制御システム。
【請求項１０】
２つの通信装置を介して情報処理装置にそれぞれ接続する２つの通信ポートを有する電源制御装置を、
前記２つの通信ポートのうち少なくとも１つが、前記２つの通信装置の１つ及びデータの入出力装置のいずれかと接続するように、当該通信ポートの設定を切り替える切替手段と、
前記切替手段が、前記少なくとも１つの通信ポートが前記通信装置の１つと接続するように当該通信ポートの設定を切り替え、且つ前記２つの通信装置がそれぞれ前記２つの通信ポートに接続されている場合に、各通信ポートのアドレスが記載された電子メールを各通信ポートに接続されている通信装置を介して前記情報処理装置に送信する送信手段と
して機能させることを特徴とするプログラム。
【発明の詳細な説明】
【技術分野】
【０００１】
本発明は、電源制御装置、電源制御システム及びプログラムに関する。
【背景技術】
【０００２】
従来より、ＩＳＤＮ回線等を介して外部装置と通信する電源制御装置が知られている（例えば、特許文献１参照）。また、図１に示すような、２つのシリアルコンソールポートを有する電源制御装置が知られている。図１は従来の電源制御装置の一部の構成を示す。
【０００３】
図１において、従来の電源制御装置２００は、装置全体を制御するＣＰＵ２０１、ＣＰＵ２０１が稼働するＯＳ（Operating System）２０２、シリアルコンソールポート２０３、及びＬＡＮ（Local Area Network）接続ポート２０４を備えている。シリアルコンソールポート２０３は、電源制御装置２００の内部で動作するＯＳ２０２（例えば、Linux（登録商標））のシリアルコンソールであり、キーボードやマウスのような入出力装置２０５に接続されている。ＬＡＮ（Local Area Network）接続ポート２０４は、例えば、イーサネット（登録商標）ポートを構成し、ＬＡＮ（Local Area Network）等のネットワークを介して外部装置２０６に接続されている。
【先行技術文献】
【特許文献】
【０００４】
【特許文献１】特開平２００７−２３３５９６号公報
【発明の概要】
【発明が解決しようとする課題】
【０００５】
ところで、図１に示すようにシリアルコンソールポート２０３にモデム２０７が接続され、外部装置２０８がモデム２０７を介して電源制御装置２００と通信する場合、外部装置２０８は、ネットワーク２０９とモデム２０７との接続経路に対応するＩＰアドレスが必要である。モデム２０７とネットワーク２０９との接続手順が完了した時点で、当該ＩＰアドレスは決定される。このため、外部装置２０８は、当該ＩＰアドレスを事前に確認する必要があるが、モデム２０７でシリアルコンソールポート２０３が塞がれているため、当該ＩＰアドレスを確認できない。従って、電源制御装置２００は、外部装置２０８との通信経路を確保できない。
【０００６】
本発明の目的は、データの入出力機能と情報処理装置との通信機能を切替可能に保持し、且つ情報処理装置との通信経路を２つ確保することができる電源制御装置及びプログラムを提供することにある。
【課題を解決するための手段】
【０００７】
上記目的を達成するため、本発明の電源制御装置は、２つの通信装置を介して情報処理装置にそれぞれ接続する２つの通信ポートと、前記２つの通信ポートのうち少なくとも１つが、前記２つの通信装置の１つ及びデータの入出力装置のいずれかと接続するように、当該通信ポートの設定を切り替える切替手段と、前記切替手段が、前記少なくとも１つの通信ポートが前記通信装置の１つと接続するように当該通信ポートの設定を切り替え、且つ前記２つの通信装置がそれぞれ前記２つの通信ポートに接続されている場合に、各通信ポートのアドレスが記載された電子メールを各通信ポートに接続されている通信装置を介して前記情報処理装置に送信する送信手段とを備えていることを特徴とする。かかる構成によれば、切替手段によってデータの入出力機能と情報処理装置との通信機能を切替可能に保持することができ、さらに、各通信ポートのアドレスが記載された電子メールが２つの通信装置の各々を介して情報処理装置に送信されるので、情報処理装置が２つの通信ポートと通信でき、情報処理装置との通信経路を２つ確保することができる。
【０００８】
好ましくは、電源制御装置は、前記情報処理装置から、前記送信した電子メールに対する返信メールを受信したか否かに基づいて、前記２つの通信装置を介して前記情報処理装置に接続される２つの通信経路の異常の有無を判断する判断手段と、前記判断手段が少なくとも一方の通信経路に異常があると判断した場合に、当該異常のある通信経路上に設けられた通信装置を再起動する再起動手段とを備えていることを特徴とする。かかる構成によれば、少なくとも１つの通信装置に起因して通信経路に異常がある場合に、異常のある通信経路を自動的に復旧することができる。
【０００９】
さらに好ましくは、電源制御装置は、前記判断手段がいずれか一方の通信経路に異常があると判断した場合に、正常な通信経路を介して前記情報処理装置に異常のある通信経路を通知する通知手段をさらに備え、前記再起動手段は、前記通知手段による通知の応答としての前記情報処理装置からの指示に応じて、前記異常のある通信経路上に設けられた通信装置を再起動することを特徴とする。かかる構成によれば、通信経路の異常を情報処理装置に通知した上で、情報処理装置からの指示に応じて異常のある通信経路を復旧することができる。
【００１０】
好ましくは、前記送信手段は、前記２つの通信ポートの少なくとも一方のアドレスが決定される又は変更されるたびに、当該決定された又は変更された通信ポートのアドレスが記載された電子メールを当該通信ポートに接続されている通信装置を介して前記情報処理装置に送信することを特徴とする。かかる構成によれば、情報処理装置は、２つの通信ポートの少なくとも一方のアドレスが決定される又は変更されるたびに、最新の通信ポートのアドレスを取得することができる。
【００１１】
好ましくは、前記送信手段は、各通信ポートのアドレスが記載された電子メールを各通信ポートに接続されている通信装置を介して前記情報処理装置に定期的に送信することを特徴とする。かかる構成によれば、情報処理装置は、定期的に最新の２つの通信ポートのアドレスを取得することができる。
【００１２】
好ましくは、前記切替手段は、ユーザからの指示によって又は前記通信ポートに接続された通信装置の情報を受信することによって、前記通信ポートの設定を切り替えることを特徴とする。かかる構成によれば、手動又は自動で通信ポートの設定を切り替えることができる。
【００１３】
上記目的を達成するため、本発明の電源制御システムは、電源制御装置と拡張装置とを含む電源制御システムであって、前記拡張装置は、第１通信装置及びデータの入出力装置のいずれかと接続可能な第１通信ポートと、前記制御装置と接続可能な第２通信ポートと、前記第１通信ポートが、前記第１通信装置及び前記データの入出力装置のいずれかと接続するように、当該第１通信ポートの設定を切り替える切替手段と、前記切替手段が、前記第１通信ポートが前記第１通信装置と接続するように前記第１通信ポートの設定を切り替え、且つ当該第１通信ポートが前記第１通信装置に接続される場合に、当該第１通信ポートのアドレスが記載された電子メールを前記第１通信装置を介して情報処理装置に送信する第１送信手段とを備え、前記電源制御装置は、前記拡張装置と接続可能な第３通信ポートと、第２通信装置と接続可能な第４通信ポートと、前記第４通信ポートが前記第２通信装置に接続される場合に、当該第４通信ポートのアドレスが記載された電子メールを前記第２通信装置を介して前記情報処理装置に送信する第２送信手段とを備えることを特徴とする。かかる構成によれば、切替手段によってデータの入出力機能と情報処理装置との通信機能を切替可能に保持することができ、さらに、第１通信ポートのアドレスが記載された電子メール及び第４通信ポートのアドレスが記載された電子メールがそれぞれ第１通信装置及び第２通信装置を介して情報処理装置に送信されるので、情報処理装置が２つの通信ポートと通信でき、情報処理装置との通信経路を２つ確保することができる。
【００１４】
好ましくは、前記拡張装置は、前記情報処理装置から、前記送信した電子メールに対する返信メールを所定時間内に受信したか否かに基づいて、前記第１通信装置を介して前記情報処理装置に接続される第１通信経路の異常の有無を判断する第１判断手段を備え、前記電源制御装置は、前記情報処理装置から、前記送信した電子メールに対する返信メールを所定時間内に受信したか否かに基づいて、前記第２通信装置を介して前記情報処理装置に接続される第２通信経路の異常の有無を判断する第２判断手段と、前記第１判断手段から前記第１通信経路の異常が通知されたときに、前記第１通信装置を再起動し、前記第２通信経路が異常であると判断されたときに、前記第２通信装置を再起動する再起動手段とを備えていることを特徴とする。かかる構成によれば、第１通信装置又は第２通信装置に起因して第１通信経路又は第２通信経路に異常がある場合に、第１通信経路又は第２通信経路を自動的に復旧することができる。
【００１５】
好ましくは、前記拡張装置は、前記第１判断手段が前記第１通信経路に異常があると判断した場合に、前記第２通信経路を介して前記情報処理装置に第１通信経路の異常を通知する第１通知手段を備え、前記電源制御装置は、前記第２判断手段が前記第２通信経路に異常があると判断した場合に、前記第１通信経路を介して前記情報処理装置に第２通信経路の異常を通知する第２通知手段を備え、前記再起動手段は、前記第１通知手段による通知の応答として、前記情報処理装置から前記第２通信装置を介して前記第１通信装置の再起動が指示された場合には、前記第１通信装置を再起動し、前記第２通知手段による通知の応答として、前記情報処理装置から前記拡張装置を介して前記第２通信装置の再起動が指示された場合には、前記第２通信装置を再起動することを特徴とする。かかる構成によれば、第１通信経路又は第２通信経路の異常を情報処理装置に通知した上で、情報処理装置からの指示に応じて第１通信経路又は第２通信経路を復旧することができる。
【００１６】
上記目的を達成するため、本発明のプログラムは、２つの通信装置を介して情報処理装置にそれぞれ接続する２つの通信ポートを有する電源制御装置を、前記２つの通信ポートのうち少なくとも１つが、前記２つの通信装置の１つ及びデータの入出力装置のいずれかと接続するように、当該通信ポートの設定を切り替える切替手段と、前記切替手段が、前記少なくとも１つの通信ポートが前記通信装置の１つと接続するように当該通信ポートの設定を切り替え、且つ前記２つの通信装置がそれぞれ前記２つの通信ポートに接続されている場合に、各通信ポートのアドレスが記載された電子メールを各通信ポートに接続されている通信装置を介して前記情報処理装置に送信する送信手段として機能させることを特徴とする。
【発明の効果】
【００１７】
本発明によれば、データの入出力機能と情報処理装置との通信機能を切替可能に保持し、且つ情報処理装置との通信経路を２つ確保することができる。
【図面の簡単な説明】
【００１８】
【図１】従来の電源制御装置の一部の構成を示す図である。
【図２】第１の実施の形態に係る電源制御装置を含むシステムの概略構成図である。
【図３】電源制御装置１の構成を示すブロック図である。
【図４】ユーザインタフェースの一例を示す図である。
【図５】図１のシステムの処理シーケンスを示す図である。
【図６】図１のシステムの処理シーケンスを示す図である。
【図７】第２の実施の形態に係る電源制御装置１と拡張装置１０１との構成を示すブロック図である。
【図８】第２の実施の形態に係るシステムの処理シーケンスを示す図である。
【発明を実施するための形態】
【００１９】
以下、図面を参照しながら本発明の実施の形態を説明する。
【００２０】
（第１の実施の形態）
図２は、第１の実施の形態に係る電源制御装置を含むシステムの概略構成図である。
【００２１】
図２において、電源制御装置１は、通信装置としてのモデム２及びルータ３と接続されている。また、電源制御装置１は、ＭＤＦ（Main Distributing Frame）のような通信設備８，９に接続されている。モデム２及びルータ３は、ネットワーク４を介してサーバ５、ＰＣ６及びポータブル端末７（情報処理装置）に接続されている。ポータブル端末７は、例えば、携帯電話、ＰＤＡ（Personal Digital Assistant）などの通信機能を有する端末である。モデム２及びルータ３は、通信線でネットワーク４に接続されていてもよいし、無線でネットワーク４に接続されていてもよい。また、モデム２は、アナログモデムでもよいし、ポータブル端末７と接続するためのポータブル端末用のモデムでもよい。また、モデム２及びルータ３は、サーバ５、ＰＣ６及びポータブル端末７に接続するための通信装置の例であるため、これらに限定されるものではない。また、このシステムでは、電源制御装置１にモデムが２つ接続されてもよいし、ルータが２つ接続されてもよい。サーバ５は、ＣＰＵ、メモリ、ハードディスク、ネットワークインタフェースなど（不図示）を備えている。また、サーバ５及びＰＣ６は、データを管理するサーバでも、メールサーバでもよい。
【００２２】
電源制御装置１は、モデム２、ルータ３、通信設備８，９に電源を供給する。また、電源制御装置１は、モデム２、ルータ３、通信設備８，９に供給される電源のオン／オフを制御する。さらに、電源制御装置１は、モデム２及びルータ３の少なくとも一方を介して、サーバ５、ＰＣ６及びポータブル端末７と通信する。例えば、電源制御装置１は、モデム２を介してＰＣ６又はポータブル端末７の少なくとも一方に電子メールを送信し、その返信メールをモデム２を介してＰＣ６又はポータブル端末７の少なくとも一方から受信する。同様に、電源制御装置１は、ルータ３を介してＰＣ６又はポータブル端末７の少なくとも一方に電子メールを送信し、その返信メールをルータ３を介してＰＣ６又はポータブル端末７の少なくとも一方から受信する。また、電源制御装置１は、ＰＣ６又はポータブル端末７からモデム２及びルータ３の少なくとも一方に供給される電源のオン／オフに関する制御情報を受信し、この制御情報に基づいて、モデム２及びルータ３の少なくとも一方をオン／オフする。同様に、電源制御装置１は、ＰＣ６又はポータブル端末７から通信設備８，９の少なくとも一方に供給される電源のオン／オフに関する制御情報を受信し、この制御情報に基づいて、通信設備８，９の少なくとも一方をオン／オフする。尚、通信設備８，９は、再起動が必要な装置であればよく、特に、ＭＤＦに限定されるものではない。
【００２３】
図３は、電源制御装置１の構成を示すブロック図である。
【００２４】
電源制御装置１は、装置全体を制御する制御部１１（送信手段、判断手段、通知手段）、各種のプログラムやテーブルデータなどを記憶する記憶部１２、モデム２及びルータ３の少なくとも一方を介して、サーバ５、ＰＣ６及びポータブル端末７と通信する通信部１３、モデム２と接続するシリアルコンソールポート１４（通信ポート）、ルータ３と接続するＬＡＮ接続ポート１５（通信ポート）、及びシリアルコンソールポート１４に接続される被接続装置をモデム２及び入出力装置３０のいずれか一方に切り替える切替部１６（切替手段）を備えている。さらに、電源制御装置１は、現在の日時を計時するタイマー１７と、モデム２、ルータ３、及び通信設備８，９に供給する電源（即ち、電流、電圧又は電力）のオン／オフを制御するオン／オフ制御部１８〜２１（再起動手段）とを備えている。また、制御部１１には、外部電源３１が接続されている。外部電源３１は、制御部１１及びオン／オフ制御部１４〜１７を介してモデム２、ルータ３、及び通信設備８，９に電力を供給し、さらに、制御部１１を介して、電源制御装置１内の他の各部に電力を供給する。
【００２５】
入出力装置３０は、キーボード、マウス及びモニタ等の少なくとも１つである。切替部１６は、ユーザからの入力に応じて、シリアルコンソールポート１４の設定を切り替える。この場合、ユーザは、スイッチ２２を使ってシリアルコンソールポート１４の設定を手動で切り替えることができる。また、ユーザは、入出力装置３０、ＰＣ６又はポータブル端末７上に、図４に示すような、記憶部１２に格納されているシリアルコンソールポート１４の設定を切り替えるユーザインタフェースを読み出し、このユーザインタフェース上でシリアルコンソールポート１４の設定を指定してもよい。これにより、切替部１６は、シリアルコンソールポート１４の設定をユーザに指定された設定に切り替える。
【００２６】
また、切替部１６は、プラグアンドプレイ機能のように、シリアルコンソールポート１４に接続される被接続装置（例えばモデム２、ルータ３、又は入出力装置３０など）の情報を受信し、その受信された情報に基づいて、シリアルコンソールポート１４の設定を自動的に切り替えてもよい。
【００２７】
シリアルコンソールポート１４の設定には、データの入出力の設定と通信の設定とがある。具体的には、入出力装置３０がシリアルコンソールポート１４に接続される場合には、シリアルコンソールポート１４の設定は、入出力装置３０と通信部１２との間でデータを入出力する設定である（即ち、データの入出力の設定）。例えば、入出力装置３０が電源制御装置１の設定を変更したり、ユーザが通信ログを確認する場合に、この設定が使用される。モデム２がシリアルコンソールポート１４に接続される場合には、シリアルコンソールポート１４の設定は、制御部１１がシリアルコンソールポート１４のＩＰアドレスを記載した電子メールをモデム２を介してＰＣ６又はポータブル端末７の少なくとも一方に送信し、その返信メールをモデム２を介してＰＣ６又はポータブル端末７の少なくとも一方から受信する設定である（即ち、通信の設定）。
【００２８】
このように、切替部１６はシリアルコンソールポート１４の設定をデータの入出力の設定又は通信の設定に切り替えるので、電源制御装置１は、データの入出力機能とＰＣ６又はポータブル端末７との通信機能を切替可能に保持することができる。
【００２９】
なお、図３では、シリアルコンソールポート１４のデータの入出力機能と通信機能とが切り替えられるが、ＬＡＮ接続ポート１５もデータの入出力機能と通信機能とを切り替え可能に構成されていてもよい。この場合、ＬＡＮ接続ポート１５と制御部１１との間に、別の切替部が設けられる。
【００３０】
図５は、図１のシステムの処理シーケンスを示す図である。前提として、切替部１６はシリアルコンソールポート１４の設定を通信の設定に切り替えており、シリアルコンソールポート１４にモデム２が接続されているものとする。
【００３１】
電源制御装置１の制御部１１は、シリアルコンソールポート１４又はＬＡＮ接続ポート１５のＩＰアドレスが決定される又は変更されるたびに、ＩＰアドレスが記載された電子メールをＰＣ６又はポータブル端末７の少なくとも一方に送信する（ステップＳ１）。このように、電子メールに外部から接続可能なＩＰアドレスを記載することで、ＰＣ６又はポータブル端末７の少なくとも一方は、モデム２又はルータ３の接続後であっても、シリアルコンソールポート１４又はＬＡＮ接続ポート１５のＩＰアドレスを確認できる。また、シリアルコンソールポート１４又はＬＡＮ接続ポート１５のＩＰアドレスが決定される又は変更されるたびに、ＰＣ６又はポータブル端末７の少なくとも一方は、シリアルコンソールポート１４又はＬＡＮ接続ポート１５の最新のＩＰアドレスを取得することができる。
【００３２】
尚、ＰＣ６及びポータブル端末７のメールアドレスや電子メールのテンプレートは予め記憶部１２に記憶されている。従って、制御部１１は、シリアルコンソールポート１４又はＬＡＮ接続ポート１５のＩＰアドレスが決定される又は変更されるたびに、決定された又は変更されたＩＰアドレスをテンプレートに貼り付け、送信先アドレスをＰＣ６又はポータブル端末７の少なくとも一方のアドレスに設定し、電子メールを作成し、ＰＣ６又はポータブル端末７の少なくとも一方に送信する。
【００３３】
尚、制御部１１は、シリアルコンソールポート１４又はＬＡＮ接続ポート１５のＩＰアドレスが決定される又は変更されるたびに、ＩＰアドレスが記載された電子メールをＰＣ６又はポータブル端末７の少なくとも一方に送信しているが、定期的にシリアルコンソールポート１４又は１５のＩＰアドレス記載された電子メールをＰＣ６又はポータブル端末７の少なくとも一方に送信してもよい。これにより、ＰＣ６又はポータブル端末７の少なくとも一方は、最新のＩＰアドレスを定期的に取得することができる。
【００３４】
ＰＣ６又はポータブル端末７の少なくとも一方は、ＩＰアドレスが記載された電子メールを受信し、シリアルコンソールポート１４及びＬＡＮ接続ポート１５との通信を確立し（ステップＳ２）、電子メールを電源制御装置１に返信する（ステップＳ３）。電源制御装置１の制御部１１は、返信された電子メールに基づいて、通信経路の異常の有無を判断する（ステップＳ４）。このシステムでは、電源制御装置１がシリアルコンソールポート１４及びモデム２を介してＰＣ６又はポータブル端末７の少なくとも一方に接続する通信経路（以下、モデム２の通信経路という）と、電源制御装置１がＬＡＮ接続ポート１５及びルータ３を介してＰＣ６又はポータブル端末７の少なくとも一方に接続する通信経路（以下、ルータ３の通信経路という）とがある。また、ＰＣ６又はポータブル端末７の少なくとも一方に送信した電子メールには、シリアルコンソールポート１４又はＬＡＮ接続ポート１５のＩＰアドレスが記載されおり、この電子メールがサーバ５から返信される。よって、制御部１１は、返信された電子メールの本文を検索することによって、返信された電子メールがモデム２の通信経路を介して又はルータ３の通信経路を介して電源制御装置１に到達したのかを判断することができる。換言すれば、制御部１１は、返信された電子メールの本文を検索することによって、到達しない電子メールの通信経路に異常があると判断することができる。
【００３５】
モデム２の通信経路又はルータ３の通信経路に異常がある場合には、制御部１１は、異常のある通信経路の情報をＰＣ６及びポータブル端末７の少なくとも一方に通知する（ステップＳ５）。具体的には、制御部１１は、異常のある通信経路の情報を示す電子メールをＰＣ６及びポータブル端末７の少なくとも一方に送信する。
【００３６】
ＰＣ６又はポータブル端末７の少なくとも一方は、異常のある通信経路上に設けられたモデム２又はルータ３の再起動を制御部１１に指示する（ステップＳ６）。制御部１１は、ＰＣ６又はポータブル端末７の少なくとも一方からの指示に従って、オン／オフ制御部１８又は２１にモデム２又はルータ３に供給される電力をオフ／オンさせる（ステップＳ７）。これにより、モデム２又はルータ３は再起動する、即ち復旧する。
【００３７】
モデム２の通信経路又はルータ３の通信経路に異常がない場合には、制御部１１は、特に何も実行しないで、再びステップＳ１に戻る。また、モデム２の通信経路及びルータ３の通信経路の両方に異常がある場合には、制御部１１は、異常のある通信経路の情報をＰＣ６及びポータブル端末７に通知することができないので、オン／オフ制御部１８，２１にモデム２及びルータ３に供給される電力をオフ／オンさせる（ステップＳ８）。これにより、モデム２及びルータ３は再起動する、即ち復旧する。
【００３８】
尚、制御部１１は、モデム２の通信経路又はルータ３の通信経路のいずれかに異常がある場合に、ＰＣ６及びポータブル端末７にモデム２又はルータ３の通信経路の異常を通知せずに、オン／オフ制御部１８又は２１にモデム２又はルータ３に供給される電力をオフ／オンさせてもよい。
【００３９】
本実施の形態によれば、電源制御装置１は、モデム２及びルータ３を介してＰＣ６又はポータブル端末７の少なくとも一方にそれぞれ接続する２つの通信ポート（シリアルコンソールポート１４及びＬＡＮ接続ポート１５）と、シリアルコンソールポート１４がモデム２及び入出力装置３０のいずれかと接続するように、当該シリアルコンソールポート１４の設定を切り替える切替部１６と、切替部１６が、シリアルコンソールポート１４がモデム２と接続するようにシリアルコンソールポート１４の設定を切り替え、且つモデム２及びルータ３がそれぞれシリアルコンソールポート１４及びＬＡＮ接続ポート１５に接続されている場合に、シリアルコンソールポート１４のＩＰアドレスが記載された電子メール及びＬＡＮ接続ポート１５のＩＰアドレスが記載された電子メールをそれぞれモデム２及びルータ３を介してサーバ５に送信する制御部１１とを備えている。
【００４０】
よって、切替部１６によってデータの入出力機能と情報処理装置との通信機能を切替可能に保持することができる。さらに、シリアルコンソールポート１４のＩＰアドレスが記載された電子メール及びＬＡＮ接続ポート１５のＩＰアドレスが記載された電子メールがそれぞれモデム２又はルータ３を介してＰＣ６又はポータブル端末７の少なくとも一方に送信されるので、ＰＣ６又はポータブル端末７の少なくとも一方が２つの通信ポートと通信でき、ＰＣ６又はポータブル端末７の少なくとも一方との通信経路を２つ確保することができる。
【００４１】
また、制御部１１は、ＰＣ６又はポータブル端末７の少なくとも一方から、送信した電子メールに対する返信メールを受信したか否かに基づいて、２つの通信経路の異常の有無を判断し、少なくとも一方の通信経路に異常があると判断した場合に、オン／オフ制御部１８，２１が当該異常のある通信経路上に設けられたモデム２又はルータ３の少なくとも一方を再起動する。よって、モデム２又はルータ３の少なくとも一方に起因して通信経路に異常がある場合に、異常のある通信経路を自動的に復旧することができる。
【００４２】
さらに、制御部１１はいずれか一方の通信経路に異常があると判断した場合に、正常な通信経路を介してＰＣ６又はポータブル端末７の少なくとも一方に異常のある通信経路を通知し、オン／オフ制御部１８又は２１は、ＰＣ６又はポータブル端末７の少なくとも一方からの指示に応じて、異常のある通信経路上に設けられたモデム２又はルータ３をそれぞれ再起動する。よって、通信経路の異常をＰＣ６又はポータブル端末７の少なくとも一方に通知した上で、ＰＣ６又はポータブル端末７の少なくとも一方からの指示に応じて異常のある通信経路を復旧することができる。
【００４３】
（変形例）
図５では、電源制御装置１の制御部１１が、通信経路の異常を判断しているが、ＰＣ６又はポータブル端末７の少なくとも一方が通信経路の異常を判断してもよい。以下、ＰＣ６又はポータブル端末７の少なくとも一方が通信経路の異常を判断する例を説明する。
【００４４】
図６は、図１のシステムの処理シーケンスを示す図である。前提として、切替部１６はシリアルコンソールポート１４の設定を通信の設定に切り替えており、シリアルコンソールポート１４にモデム２が接続されているものとする。
【００４５】
まず、ＰＣ６又はポータブル端末７の少なくとも一方が、シリアルコンソールポート１４及びＬＡＮ接続ポート１５のＩＰアドレスを要求する電子メールを電源制御装置１に送信する（ステップＳ１１）。尚、ＰＣ６及びポータブル端末７は、電源制御装置１の電子メールアドレスを予め保存しているものとする。次に、電源制御装置１の制御部１１は、当該電子メールを受信し、シリアルコンソールポート１４のＩＰアドレスが記載された電子メールをモデム２の通信経路を介してＰＣ６又はポータブル端末７の少なくとも一方に返信し、ＬＡＮ接続ポート１５のＩＰアドレスが記載された電子メールをルータ３の通信経路を介してＰＣ６又はポータブル端末７の少なくとも一方に返信する（ステップＳ１２）。
【００４６】
ＰＣ６又はポータブル端末７の少なくとも一方は、電源制御装置１から電子メールを受信したか否かに基づいて、通信経路の異常の有無を判断する（ステップＳ１３）。具体的には、ＰＣ６又はポータブル端末７の少なくとも一方は、シリアルコンソールポート１４のＩＰアドレスが記載された電子メールを受信できない場合には、モデム２の通信経路は異常であると判断し、ＬＡＮ接続ポート１５のＩＰアドレスが記載された電子メールを受信できない場合には、ルータ３の通信経路は異常であると判断する。また、ＰＣ６又はポータブル端末７の少なくとも一方は、シリアルコンソールポート１４のＩＰアドレスが記載された電子メールを受信した場合には、モデム２の通信経路は正常であると判断し、ＬＡＮ接続ポート１５のＩＰアドレスが記載された電子メールを受信した場合には、ルータ３の通信経路は正常であると判断する。
【００４７】
モデム２の通信経路又はルータ３の通信経路に異常がある場合には、ＰＣ６又はポータブル端末７の少なくとも一方は、異常のある通信経路上に設けられたモデム２又はルータ３の再起動を制御部１１に指示する（ステップＳ１４）。制御部１１は、ＰＣ６又はポータブル端末７の少なくとも一方からの指示に従って、オン／オフ制御部１８又は２１にモデム２又はルータ３に供給される電力をオフ／オンさせる（ステップＳ１５）。これにより、モデム２又はルータ３は再起動する、即ち復旧する。モデム２の通信経路又はルータ３の通信経路に異常がない場合には、ＰＣ６又はポータブル端末７の少なくとも一方は、シリアルコンソールポート１４及びＬＡＮ接続ポート１５との通信を確立する（ステップＳ１６）。尚、両方の通信経路に異常がある場合には、ＰＣ６又はポータブル端末７の少なくとも一方は、電源制御装置１と通信できないので、作業者が、直接、モデム２の通信経路又はルータ３の通信経路を復旧する作業を行う。
【００４８】
（第２の実施の形態）
第２の実施の形態に係る電源制御装置１は、切替部１６、切替機能を有するシリアルコンソールポート１４、及びスイッチ２２を備えていない点で、第１の実施の形態に係る電源制御装置１と異なる。第２の実施の形態に係る電源制御装置１は、拡張装置１０１を接続する点で、第１の実施の形態に係る電源制御装置１と異なる。
【００４９】
以下、図７を参照しながら、第２の実施の形態について説明する。
【００５０】
図７は、第２の実施の形態に係る電源制御装置１と拡張装置１０１との構成を示すブロック図である。尚、第１の実施の形態に係る電源制御装置１の構成と同一の構成については、説明を省略する。
【００５１】
図７の電源制御装置１と拡張装置１０１とは、電源制御システムを構成する。図７の拡張装置１０１は、装置全体を制御する制御部１１１（第１送信手段、第１判断手段、第１通知手段）、各種のプログラムやテーブルデータなどを記憶する記憶部１１２、モデム２を介して、サーバ５、ＰＣ６及びポータブル端末７と通信する通信部１１３、シリアルコンソールポート１１４（第１通信ポート）、ＬＡＮ接続ポート１１５（第２通信ポート）、シリアルコンソールポート１１４に接続される被接続装置をモデム２及び入出力装置３０のいずれか一方に切り替える切替部１１６（切替手段）、現在の日時を計時するタイマー１１７、及び切替部１１６にシリアルコンソールポート１１４の設定の切替を指示するスイッチ１２２を備えている。
【００５２】
拡張装置１０１のＬＡＮ接続ポート１１５は、ＬＡＮケーブル又は専用ケーブル１２０を介して電源制御装置１のシリアルコンソールポート１４（第３通信ポート）に接続されている。制御部１１１は、ＬＡＮケーブル又は専用ケーブル１２０を介して制御部１１（第２送信手段、第２判断手段、第２通知手段）と通信する。外部電源３１は、制御部１１，１１１に接続されており、電源制御装置１及び拡張装置１０１の各構成に電源（電力）を供給する。
【００５３】
切替部１１６は、切替部１６と同様に、ユーザからの入力、即ちスイッチ１２２の設定に応じて、シリアルコンソールポート１１４の設定を切り替える。また、切替部１１６は、現在のシリアルコンソールポート１１４の設定を、図４のユーザインタフェース上で指定された設定に切り替えてもよい。また、切替部１１６は、プラグアンドプレイ機能のように、シリアルコンソールポート１１４に接続される被接続装置の情報を受信し、その受信された情報に基づいて、シリアルコンソールポート１１４の設定を自動的に切り替えてもよい。第１の実施の形態のシリアルコンソールポート１４の設定と同様に、シリアルコンソールポート１１４の設定には、データの入出力の設定と通信の設定とがある。
【００５４】
尚、第２の実施の形態に係るシステムでは、図１の電源制御装置１が図７の電源制御装置１及び拡張装置１０１に置き換えられている。
【００５５】
図８は、第２の実施の形態に係るシステムの処理シーケンスを示す図である。前提として、切替部１１６はシリアルコンソールポート１４の設定を通信の設定に切り替えており、シリアルコンソールポート１１４にモデム２が接続され、ＬＡＮ接続ポート１５（第４通信ポート）にルータ３が接続されているものとする。
【００５６】
まず、拡張装置１０１の制御部１１１は、シリアルコンソールポート１１４のＩＰアドレスが決定される又は変更されるたびに、ＩＰアドレスが記載された電子メールをＰＣ６又はポータブル端末７の少なくとも一方に送信する（ステップＳ２１）。このように、電子メールに外部から接続可能なＩＰアドレスを記載することで、ＰＣ６又はポータブル端末７の少なくとも一方は、モデム２の接続後であっても、シリアルコンソールポート１１４のＩＰアドレスを確認できる。尚、ＰＣ６及びポータブル端末７のメールアドレスや電子メールのテンプレートは予め記憶部１２に記憶されている。従って、制御部１１１は、シリアルコンソールポート１１４のＩＰアドレスが決定される又は変更されるたびに、決定された又は変更されたＩＰアドレスをテンプレートに貼り付け、送信先アドレスをＰＣ６又はポータブル端末７の少なくとも一方のアドレスに設定し、電子メールを作成し、ＰＣ６又はポータブル端末７の少なくとも一方に送信する。
【００５７】
尚、制御部１１１は、シリアルコンソールポート１１４のＩＰアドレスが決定される又は変更されるたびに、ＩＰアドレスが記載された電子メールをＰＣ６又はポータブル端末７の少なくとも一方に送信しているが、定期的にシリアルコンソールポート１１４のＩＰアドレス記載された電子メールをＰＣ６又はポータブル端末７の少なくとも一方に送信してもよい。
【００５８】
ＰＣ６又はポータブル端末７の少なくとも一方は、ＩＰアドレスが記載された電子メールを受信し、シリアルコンソールポート１１４との通信を確立し（ステップＳ２２）、電子メールを拡張装置１０１に返信する（ステップＳ２３）。拡張装置１０１の制御部１１１は、通信経路の異常の有無を判断する（ステップＳ２４）。具体的には、制御部１１１は、電子メールの送信から所定時間内（例えば、５分）に返信された電子メールを受信したか否かに基づいて、この判断を行う。制御部１１１は、電子メールの送信から所定時間内（例えば、５分）に返信された電子メールを受信した場合には、モデム２の通信経路は正常であると判断する。一方、制御部１１１は、電子メールの送信から所定時間内（例えば、５分）に返信された電子メールを受信しない場合には、モデム２の通信経路は異常であると判断する。
【００５９】
モデム２の通信経路に異常がある場合には、制御部１１１は、異常のある通信経路の情報を電源制御装置１の制御部１１に通知する（ステップＳ２５）。電源制御装置１の制御部１１は、異常のある通信経路の情報をＰＣ６及びポータブル端末７の少なくとも一方に通知する（ステップＳ２６）。具体的には、制御部１１は、異常のある通信経路の情報を示す電子メールをＰＣ６及びポータブル端末７の少なくとも一方に送信する。
【００６０】
ＰＣ６又はポータブル端末７の少なくとも一方は、異常のある通信経路上に設けられたモデム２の再起動を制御部１１に指示する（ステップＳ２７）。制御部１１は、ＰＣ６又はポータブル端末７の少なくとも一方からの指示に従って、オン／オフ制御部１８にモデム２に供給される電力をオフ／オンさせる（ステップＳ２８）。これにより、モデム２は再起動する、即ち復旧する。
【００６１】
モデム２の通信経路に異常がない場合には、制御部１１１は、特に何も実行しないで、再びステップＳ２１に戻る。尚、制御部１１は、制御部１１１から、異常のある通信経路の情報を通知されたときに、ＰＣ６及びポータブル端末７にモデム２の通信経路の異常を通知せずに、オン／オフ制御部１８にモデム２に供給される電力をオフ／オンさせてもよい。
【００６２】
次に、電源制御装置１の制御部１１は、ＬＡＮ接続ポート１５のＩＰアドレスが決定される又は変更されるたびに、ＩＰアドレスが記載された電子メールをＰＣ６又はポータブル端末７の少なくとも一方に送信する（ステップＳ３１）。このように、電子メールに外部から接続可能なＩＰアドレスを記載することで、ＰＣ６又はポータブル端末７の少なくとも一方は、ルータ３の接続後であっても、ＬＡＮ接続ポート１５のＩＰアドレスを確認できる。尚、ＰＣ６及びポータブル端末７のメールアドレスや電子メールのテンプレートは予め記憶部１２に記憶されている。従って、制御部１１は、ＬＡＮ接続ポート１５のＩＰアドレスが決定される又は変更されるたびに、決定された又は変更されたＩＰアドレスをテンプレートに貼り付け、送信先アドレスをＰＣ６又はポータブル端末７の少なくとも一方のアドレスに設定し、電子メールを作成し、ＰＣ６又はポータブル端末７の少なくとも一方に送信する。
【００６３】
尚、制御部１１は、ＬＡＮ接続ポート１５のＩＰアドレスが決定される又は変更されるたびに、ＩＰアドレスが記載された電子メールをＰＣ６又はポータブル端末７の少なくとも一方に送信しているが、定期的にＬＡＮ接続ポート１５のＩＰアドレス記載された電子メールをＰＣ６又はポータブル端末７の少なくとも一方に送信してもよい。
【００６４】
ＰＣ６又はポータブル端末７の少なくとも一方は、ＩＰアドレスが記載された電子メールを受信し、ＬＡＮ接続ポート１５との通信を確立し（ステップＳ３２）、電子メールを電源制御装置１に返信する（ステップＳ３３）。電源制御装置１の制御部１１は、通信経路の異常の有無を判断する（ステップＳ３４）。具体的には、制御部１１は、電子メールの送信から所定時間内（例えば、５分）に返信された電子メールを受信したか否かに基づいて、この判断を行う。制御部１１は、電子メールの送信から所定時間内（例えば、５分）に返信された電子メールを受信した場合には、ルータ３の通信経路は正常であると判断する。一方、制御部１１は、電子メールの送信から所定時間内（例えば、５分）に返信された電子メールを受信しない場合には、ルータ３の通信経路は異常であると判断する。
【００６５】
ルータ３の通信経路に異常がある場合には、制御部１１は、異常のある通信経路の情報を拡張装置１０１の制御部１１１に通知する（ステップＳ３５）。拡張装置１０１の制御部１１１は、異常のある通信経路の情報をＰＣ６及びポータブル端末７の少なくとも一方に通知する（ステップＳ３６）。具体的には、制御部１１１は、異常のある通信経路の情報を示す電子メールをＰＣ６及びポータブル端末７の少なくとも一方に送信する。
【００６６】
ＰＣ６又はポータブル端末７の少なくとも一方は、異常のある通信経路上に設けられたルータ３の再起動を制御部１１１に指示する（ステップＳ３７）。制御部１１１は、ルータ３の再起動の指示を電源制御装置１の制御部１１に通知する（ステップＳ３８）。電源制御装置１の制御部１１は、ルータ３の再起動の指示に従って、オン／オフ制御部２１にルータ３に供給される電力をオフ／オンさせる（ステップＳ３９）。これにより、ルータ３は再起動する、即ち復旧する。ルータ３の通信経路に異常がない場合には、制御部１１は、特に何も実行しないで、再びステップＳ３１に戻る。
【００６７】
尚、制御部１１は、ルータ３の通信経路に異常があると判断した場合に、ＰＣ６及びポータブル端末７にルータ３の通信経路の異常を通知せずに、オン／オフ制御部２１にルータ３に供給される電力をオフ／オンさせてもよい。
【００６８】
ステップＳ２１〜Ｓ２８の処理シーケンス（即ち、拡張装置１０１による通信経路の異常判断、モデム２の復旧作業等）は、ステップＳ３１〜Ｓ３９の処理シーケンス（即ち、電源制御装置１による通信経路の異常判断、ルータ３の復旧作業等）と同時平行的に実行されてもよい。これにより、本システムの処理シーケンスにかかる時間が短縮される。
【００６９】
図８の処理シーケンスでは、モデム２又はルータ３の少なくとも一方に起因して少なくとも１つの通信経路に異常がある場合に、異常がある通信経路を自動的に復旧することができる。また、通信経路の異常をＰＣ６又はポータブル端末７の少なくとも一方に通知した上で、ＰＣ６又はポータブル端末７の少なくとも一方からの指示に応じて異常のある通信経路を復旧することができる。
【００７０】
本実施の形態によれば、拡張装置１０１の切替部１１６によってデータの入出力機能とＰＣ６又はポータブル端末７の少なくとも一方との通信機能を切替可能に保持することができる。また、シリアルコンソールポート１１４のアドレスが記載された電子メール及びＬＡＮ接続ポート１５のアドレスが記載された電子メールがそれぞれモデム２及びルータ３を介してＰＣ６又はポータブル端末７の少なくとも一方に送信されるので、ＰＣ６又はポータブル端末７の少なくとも一方が２つの通信ポートと通信でき、ＰＣ６又はポータブル端末７の少なくとも一方との通信経路を２つ確保することができる。
【００７１】
電源制御装置１の機能を実現するためのソフトウェアのプログラムが記録されている記録媒体を、制御部１１に供給し、制御部１１が記憶媒体に格納されたプログラムを読み出し実行することによっても、上記第１及び第２実施の形態と同様の効果を奏する。プログラムを供給するための記憶媒体としては、例えば、ＣＤ−ＲＯＭ、ＤＶＤ、又はＳＤカードなどがある。
【００７２】
また、制御部１１が、電源制御装置１の機能を実現するためのソフトウェアのプログラムを実行することによっても、上記実施の形態と同様の効果を奏する。
【００７３】
尚、本発明は、上述した実施の形態に限定されるものではなく、その要旨を逸脱しない範囲内で種々変形して実施することが可能である。
【符号の説明】
【００７４】
１  電源制御装置
２  モデム
３  ルータ
５  サーバ
６  ＰＣ（情報処理装置）
７  ポータブル端末（情報処理装置）
１１  制御部（送信手段、判断手段、通知手段）
１２  記憶部
１３  通信部
１４  シリアルコンソールポート（通信ポート）
１５  ＬＡＮ接続ポート（通信ポート）
１６  切替部（切替手段）
１８〜２１  オン／オフ制御部（再起動手段）
３０  入出力装置
【図１】
2011159181.tif 000003
【図２】
2011159181.tif 000004
【図３】
2011159181.tif 000005
【図４】
2011159181.tif 000006
【図５】
2011159181.tif 000007
【図６】
2011159181.tif 000008
【図７】
2011159181.tif 000009
【図８】
2011159181.tif 000010
【手続補正書】
【提出日】平成23年4月25日(2011.4.25)
【手続補正１】
【補正対象書類名】明細書
【補正対象項目名】００５１
【補正方法】変更
【補正の内容】
【００５１】
図７の電源制御装置１と拡張装置１０１とは、電源制御システムを構成する。図７の拡張装置１０１は、装置全体を制御する制御部１１１（第１送信手段、第１判断手段、第１通知手段）、各種のプログラムやテーブルデータなどを記憶する記憶部１１２、モデム２を介して、サーバ５、ＰＣ６及びポータブル端末７と通信する通信部１１３、シリアルコンソールポート１１４（第１通信ポート）、シリアルコンソールポート１１５（第２通信ポート）、シリアルコンソールポート１１４に接続される被接続装置をモデム２及び入出力装置３０のいずれか一方に切り替える切替部１１６（切替手段）、現在の日時を計時するタイマー１１７、及び切替部１１６にシリアルコンソールポート１１４の設定の切替を指示するスイッチ１２２を備えている。
【手続補正２】
【補正対象書類名】明細書
【補正対象項目名】００５２
【補正方法】変更
【補正の内容】
【００５２】
拡張装置１０１のシリアルコンソールポート１１５は、シリアルケーブル又は専用ケーブル１２０を介して電源制御装置１のシリアルコンソールポート１４（第３通信ポート）に接続されている。制御部１１１は、シリアルケーブル又は専用ケーブル１２０を介して制御部１１（第２送信手段、第２判断手段、第２通知手段）と通信する。外部電源３１は、制御部１１，１１１に接続されており、電源制御装置１及び拡張装置１０１の各構成に電源（電力）を供給する。
【手続補正３】
【補正対象書類名】図面
【補正対象項目名】図７
【補正方法】変更
【補正の内容】
【図７】
2011159181.tif 000011